(57)【要約】      （修正有）【課題】外箱の内側から抽出口を容易に取り出すことを可能とする新規なバッグインボックス用の外箱を提供する。【解決手段】抽出口４を有する液体入りの内装袋３を収納するバッグインボックス用の外箱において、抽出口４を挿通させるための貫通穴が第一壁としての前壁に設けられ、前壁と直交する少なくとも一つの側壁２５に、側部開口部７２が設けられる、バッグインボックス用の外箱とする。【選択図】図３
2019077496.tif 000002
【特許請求の範囲】
【請求項１】
抽出口を有する液体入りの内装袋を収納するバッグインボックス用の外箱において、
前記抽出口を挿通させるための貫通穴が第一壁に設けられ、
前記第一壁と直交する少なくとも一つの側壁に、側部開口部が設けられる、
バッグインボックス用の外箱。
【請求項２】
前記第一壁と直交し、かつ、互いに対向する二つの側壁に、前記側部開口部が設けられる、
ことを特徴とする請求項１に記載のバッグインボックス用の外箱。
【請求項３】
前記側部開口部は、前記側壁の下部に設けられる、
ことを特徴とする請求項１又は請求項２に記載のバッグインボックス用の外箱。
【請求項４】
前記第一壁には、折曲線と切込線により囲まれるフラップが設けられ、
前記フラップは、前記切込線を切断することで、前記折曲線の部位にて回動可能に構成され、
前記フラップを開いた状態で前記第一壁に開口部が形成される、
ことを特徴とする請求項１乃至請求項３のいずれか一項に記載のバッグインボックス用の外箱。
【発明の詳細な説明】
【技術分野】
【０００１】
本発明は、飲食品、化学品、医薬品などの液体が封入される内装袋と、内装袋を収容する外箱と、を有してなるバッグインボックス（Ｂａｇ  Ｉｎ  Ｂｏｘ）の構成に関する。
【背景技術】
【０００２】
従来、例えば、特許文献１、２に開示されるように、内装袋に設けた抽出口（コック）を、外箱から突出させる構成であって、内装袋内に封入された液体を抽出口から注ぎ出す構成のバッグインボックスの構成が知られている。
【０００３】
内装袋は、可撓性を有するプラスチック包装袋にて構成され、パウチ加工により抽出口が取り付けられるものである。この抽出口は、使用時において外箱の外側に引き出され、使用に供されるものであり、使用前における保管や搬送の際に突出物として邪魔にならないように、外箱の中に収められたままの状態とされるものである。
【先行技術文献】
【特許文献】
【０００４】
【特許文献１】特開２０１５−２０２８８３号
【特許文献２】特許第６０５３３８０号明細書
【発明の概要】
【発明が解決しようとする課題】
【０００５】
バッグインボックスの使用時においては、外箱の一側面に設けた取出穴から抽出口を指で摘むとともに、摘んだ抽出口を取出穴の外側に引っ張り出すことが行われる。
【０００６】
ここで、外箱の一側面にのみ取出穴が設けられているため、当該取出穴から手指を差し込んで抽出口を摘もうとすると、その抽出口の開口が狭いのも相まって、作業の過程で手の指や甲を取出穴の端面に擦るなどして痛めてしまう可能性や、煩わしさが生じることを見出した。
【０００７】
また、内装袋を外箱に収める際に、抽出口が取出穴の位置からずれた状態のまま収められる可能性が高いことも見出した。これは、内装袋がその可撓性により変形するためであり、外箱の内面に抽出口が押し付けられ斜めの状態で収容されるのが一般的だからである。
【０００８】
このため、使用に際して取出穴を開封したときに抽出口が見当たらず、取出穴に手指を突っ込んで抽出口を探る必要があったのである。つまり、抽出口が目視確認できないため、手指を突っ込んで探ることが必要となり、この際に、手指を痛めるという可能性も高まってしまうことになる。
【０００９】
以上の問題点の解決策として、単に取出穴を拡大することによる対策も検討されるが、外箱の強度を確保することも考慮すると、拡大できる範囲には限界がある。
【００１０】
本発明は、以上の課題に鑑み、外箱の内側から抽出口を容易に取り出すことを可能とする新規なバッグインボックス用の外箱を提案するものである。
【課題を解決するための手段】
【００１１】
本発明の解決しようとする課題は以上の如くであり、次にこの課題を解決するための手段を説明する。
【００１２】
即ち、
抽出口を有する液体入りの内装袋を収納するバッグインボックス用の外箱において、
前記抽出口を挿通させるための貫通穴が第一壁に設けられ、
前記第一壁と直交する少なくとも一つの側壁に、側部開口部が設けられる、
バッグインボックス用の外箱とする。
【００１３】
また、好ましくは、
前記第一壁と直交し、かつ、互いに対向する二つの側壁に、前記側部開口部が設けられることとする。
【００１４】
また、好ましくは、
前記側部開口部は、前記側壁の下部に設けられる、こととする。
【００１５】
また、好ましくは、
前記第一壁には、折曲線と切込線により囲まれるフラップが設けられ、
前記フラップは、前記切込線を切断することで、前記折曲線の部位にて回動可能に構成され、
前記フラップを開いた状態で前記第一壁に開口部が形成される、こととする。
【発明の効果】
【００１６】
本発明の効果として、以下に示すような効果を奏する。
【００１７】
即ち、側部開口部に手指を差し込んで抽出口を外箱の外側に取り出すことができ、操作性に優れた構成が実現できる。
また、この側部開口部を通じて内装袋の液体の残量を目視することも可能となる。
【図面の簡単な説明】
【００１８】
【図１】本願発明の外箱の一実施例を示す斜視図。
【図２】フラップを開放した状態について示す図。
【図３】側部開口部から指を挿入し抽出口を取り出す状態について示す図。
【図４】使用状態について示す図。
【図５】組み立て前の外箱の展開図。
【図６】内装袋を外箱に挿入する状態について示す図。
【発明を実施するための形態】
【００１９】
以下、添付図面を参照しながら本発明を利用するバッグインボックスの例示的な実施形態を説明する。なお、説明便宜のため、図５の展開図において、図面の符号を正しく読める角度に設定した状態で、その左側、右側をそれぞれ「左」「右」とし、上側、下側をそれぞれ「上」「下」として説明する。
【００２０】
図１乃至図４には、バッグインボックス１として構成された外箱２が示されている。外箱２は、組立てにより直方体として構成され、その内側に内装袋３が収められることで、二重構造の複合容器であるバッグインボックス１が構成される。なお、本実施例では、内装袋３の容量は３Ｌのものを例とするものである。
【００２１】
図５は、組み立て前の外箱２の展開図であり、外箱２はいわゆるダンボール素材にて構成され、ブランク状態から各部位を折り曲げるとともに、所定箇所を接着することで直方体を構成するものである。
【００２２】
図５に示すように、外箱２は、外観を構成する部位として、前壁２１と、後壁２２と、上壁２３と、底壁２４と、左右の側壁２５，２６と、を有して構成される。
前壁２１は、矩形状をなす部位であり、その左右両側に側壁２５，２６が設けられ、その上下両側に内片３１，３２が設けられる。
【００２３】
前壁２１には、切込線５１、折曲線５２、切込線５３により囲まれてなるフラップ５０が設けられる。折曲線５２は前壁２１の上部に左右方向に設けられ、折曲線５２の左右両端からそれぞれ切込線５１，５１が下方に向けて形設される。
【００２４】
前壁２１の下部には、円形の切込線５３が設けられ、上下方向の切込線５１，５１の下端部と切込線５３の間に、斜め方向の切込線５５，５５が形成される。
【００２５】
また、フラップ５０の下部の位置において、切込線５３により囲まれる分離蓋５４が設けられ、フラップ５０と分離蓋５４が分離可能となるように構成されている。分離蓋５４は抽出口４（図４）の輪郭に対応する形状にて構成されており、本実施例では、円形の抽出口４に対応すべく、分離蓋５４は円形に構成されている。
【００２６】
側壁２５，２６において、それぞれ前壁２１に近い側には、切込線６１と折曲線６２により囲まれてなるフラップ６０，６０が設けられる。このフラップ６０，６０は、分離蓋５４の位置に合わせるように側壁２５，２６の下側に配置され、縦長の長方形状にて構成されている。
【００２７】
側壁２５の上下には、それぞれ内片３３，３４が設けられ、側壁２６の上下には、それぞれ上壁２３と、底壁２４が設けられる。側壁２６の右側には、後壁２２が設けられる。後壁２２の上下には、それぞれ内片３５，３６が設けられ、後壁２２の右側には、側壁２５の裏面縁と重ねて接着するための糊代片３７が設けられる。
【００２８】
そして、図６に示すように、以上の構成とする外箱２を組み立てて上壁２３側を開放した状態とし、飲料などの液体を充填した内装袋３を上側から挿入される。挿入された後に上壁２３等を閉じることで、図１に示すようなバッグインボックス１が完成される。なお、充填される液体については、ワインなどのの飲料の他、化学品、医薬品なども想定される。
【００２９】
図６に示すように、内装袋３は、可撓性を有するプラスチック包装袋にて構成されるものであり、いわゆるスパウトの形態として、液体を抽出するためのコックとして機能する抽出口４が設けられている。抽出口４は、例えば、プラスチック成形により構成され、つまみ部分を傾倒させることで液体を抽出できる構成とすることができる。
【００３０】
図６に示すように、内装袋３は、液体が充填された状態で、外箱２の内寸に合わせるように略直方体をなすようにして外箱２内へと挿入される。ここで、外箱２の内側空間を有効に利用するためには、内装袋３は外箱２にできるだけ隙間を少なくして収められることが好ましく、このことから、抽出口４は外箱２に収められる前の状態では、横方向に折り曲げられるようにして、内装袋３の立方体形状から突出しないような状態とされる。このため、図１、図６に示すように、抽出口４が横方向にずれた状態で収められた状態となる。
【００３１】
次に、バッグインボックス１の使用手順について説明する。
図１に示すように、使用前のバッグインボックス１は開放部分がない状態で構成され、積み上げや搬送に適した構成とされる。
【００３２】
この状態から、図２に示すように、まずは、指で力を入れるなどして切込線５３（図１）に沿って切込みを入れて分離蓋５４を取り外すとともに、切込線５１，５５（図１）に沿って切込みを入れつつ折曲線５２の部分で折り曲げるようにしてフラップ５０を上側に開く。このようにして、フラップ５０と分離蓋５４が存在していた部位に前部開口部７１が形成される。この前部開口部７１を通じて内装袋３が見える状態となる。
【００３３】
また、図２に示すように、側壁２５の切込線６１に沿って切込みを入れつつ折曲線６２の部分で折り曲げることで開口部７２が形成される。フラップ６０を折り曲げる方向は特に限定されるものではなく、外箱２の内側に向けて折り込むこととしてもよい。このようにして、フラップ６０が存在していた部位に側部開口部７２が形成される。この側部開口部７２は、外箱２の側壁２５（側壁２６（図５））に形成されるものであり、この側部開口部７２を通じて内装袋３が見える状態となる。
【００３４】
ここで、図２に示すように、抽出口４は外箱２の内側で横に向いた状態となっており、前部開口部７１から指を入れて摘んで引っ張り出すことも可能ではあるが、その際に、前部開口部７１の縁に手の指や甲を擦るなどして傷めてしまう可能性や、煩わしさが生じる場合がある。
【００３５】
このようなことを想定し、本実施例においては、図３に示すように、外箱２の両側の側壁に形成される側部開口部７２から手指を挿入して抽出口４を手前に移動するようにして、前部開口部７１の外側へと取り出すことが可能となっている。
【００３６】
この際の操作は、両手の手指によって抽出口４を両側から探り、押さえることができるため、極めて操作性がよいものとなる。そして、抽出口４の下半分の部位を前部開口部７１の半円状の部位５７（図２参照）に落とし込むようにしてセットし、さらに、フラップ５０の半円状の開口部分５６（図２参照）を抽出口４の上半分の部位に重ねるようにして、フラップ５０を閉じことで、図５に示す状態とする。なお、ここでは、前部開口部７１の半円状の部位５７とフラップ５０の半円状の開口部分５６により、抽出口４を挿通させるための貫通穴が構成されている。なお、本実施例においては、外箱２の両側の側壁に側部開口部７２を設けることとしたが、外箱２の片側の側壁にのみ側部開口部７２を設けることとしてもよく、片側にのみ設けた場合でも手指によって抽出口４を探ることができ、側部開口部７２を設けない場合と比較して操作性の改善を図ることができる。
【００３７】
そして、図５の状態とすることで、抽出口４を利用して液体を抽出することができる。また、側部開口部７２を通じて内装袋３を見ることができるため、内装袋３内の液体の残量を外部から視認することができる。また、側部開口部７２は両側に対向して構成されていることから、一方の側部開口部７２から取り込まれる光によって液体の影がより視認し易くなり、他方の側部開口部７２から覗いた際の液体の残量がより解り易いものとなる。
【００３８】
以上のようにして本願発明を実施することができる。
即ち、図２乃至図５に示すように、
抽出口４を有する液体入りの内装袋３を収納するバッグインボックス用の外箱２において、
抽出口４を挿通させるための貫通穴が第一壁としての前壁２１に設けられ、
前壁２１と直交する少なくとも一つの側壁２５，２６に、側部開口部７２が設けられる、
バッグインボックス用の外箱２とするものである。
【００３９】
これにより、側部開口部７２に手指を差し込んで抽出口４を外箱２の外側に取り出すことができ、操作性に優れた構成が実現できる。
また、この側部開口部７２を通じて内装袋３の液体の残量を目視することも可能となる。
【００４０】
また、図１乃至図５に示すように、前壁２１と直交し、かつ、互いに対向する二つの側壁２５，２６に、側部開口部７２，７２が設けられる、こととすることが好ましい。
【００４１】
これにより、両側の側部開口部７２，７２から手指を差し込むことが可能となり、抽出口４を両手の手指で支えることが可能となって、より操作性に優れた構成が実現できる。
また、両側に側部開口部７２が設けられることにより、一方の側部開口部７２から取り込まれる光によって液体の影がより視認し易くなり、他方の側部開口部７２から覗いた際の液体の残量がより解り易いものとなる。
【００４２】
また、図１乃至図５に示すように、側部開口部７２，７２は、側壁２５，２６の下部に設けられることが好ましい。なお、ここでいう「下部」とは、側壁２５，２６の上下方向中心部よりも下側のことをいうものである。
【００４３】
これにより、外箱２に求められる強度を確保したままで、抽出口４の取り出しを容易にするための機能や、液体の残量が減ったときの残りの残量を視認可能とする機能を確保することができる。
即ち、側部開口部７２，７２を設ける場合に、単純な開口部とするのではなく、内装袋３の下部に設けられる抽出口４の位置に対応する部分にのみ設けることとすることで、外箱２の強度を無駄に低下させてしまうことを防ぐことができる。
【００４４】
例えば、側部開口部７２，７２の上下方向の基準位置（上下の中心位置）は、内装袋３の抽出口４の位置（上下の中心位置）と高さ方向において略同一とすることで、上記の要求に対応できる。或いは、抽出口４に手指が届くことが可能な位置に側部開口部７２，７２を設けることとしてもよい。また、操作性の観点から、側部開口部７２は少なくとも手指二本が挿入可能な縦幅を有する構成とすることが好ましい。
【００４５】
側部開口部７２の位置、形状、大きさの一つの具体例としては、縦長の長方形形状であって、前壁２１から２ｃｍ〜３ｃｍずれた位置、及び、底壁２４から２ｃｍ〜３ｃｍずれた位置を基点とし、当該基点を右下角部とする縦長長方形であって、縦幅５ｃｍ〜７ｃｍ、横幅２ｃｍ〜３ｃｍの開口部とすることが考えられる。
【００４６】
また、図１乃至図５に示すように、第一壁としての前壁２１には、折曲線５２と切込線５１により囲まれるフラップ５０が設けられ、
フラップ５０は、切込線５１を切断することで、折曲線５２の部位にて回動可能に構成され、
フラップ５０を開いた状態で前壁２１に前部開口部７１が形成される、こととするものである。
【００４７】
このような回動式のフラップ５０を有する構成とすることで、抽出口４を外箱２の外側に取り出すための開口を広く形成することができ、操作性に優れた構成が実現できる。
【符号の説明】
【００４８】
１    バッグインボックス
２    外箱
３    内装袋
４    抽出口
２１    前壁（第一壁）
２２    後壁
２３    上壁
２４    底壁
２５    側壁
２６    側壁
５０    フラップ
５１    切込線
５２    折曲線
５３    切込線
５４    分離蓋
５５    切込線
５６    開口部分
６０    フラップ
６１    切込線
６２    折曲線
７１    前部開口部
７２    側部開口部
【図１】
2019077496.tif 000003
【図２】
2019077496.tif 000004
【図３】
2019077496.tif 000005
【図４】
2019077496.tif 000006
【図５】
2019077496.tif 000007
【図６】
2019077496.tif 000008